(57)【要約】【課題】ホイール及びチェーンを素早く、かつ効率的に調整することを容易にし、一の端部に挿入された特定の工具を回転させるだけで調整可能な調整装置を提供する。【解決手段】自動二輪車のスイングアームに設けられたスロットに挿通保持され、該自動二輪車の後輪の車軸として機能し、該後輪の取り付け具合及び前記自動二輪車のチェーンの張りを調整する調整装置１０は、一端に螺合部１３が設けられ、他端に頭部１６が設けられてあるシャフト１１と、前記シャフト１１の両端部に各設けられ、前記後輪の取り付け具合及びチェーンの張りを調整する調整体１９、２０とを備え、前記調整体１９、２０は、前記シャフト１１に固定されている。【選択図】図４
2014213852.tif 000002
【特許請求の範囲】
【請求項１】
自動二輪車のスイングアームに設けられたスロットに挿通保持され、該自動二輪車の後輪の車軸として機能し、該後輪の取り付け具合及び前記自動二輪車のチェーンの張りを調整する調整装置であって、
一端に螺合部が設けられ、他端に頭部が設けられてあるシャフトと、
前記シャフトの両端部に各設けられ、前記後輪の取り付け具合及びチェーンの張りを調整する調整体と
を備え、
前記調整体は、前記シャフトに固定されていること
を特徴とする調整装置。
【請求項２】
前記シャフトは、前記一端及び他端の周面に溝を設けてあり、
前記調整体は、凸条が周面に設けられた孔を有し、前記溝及び凸部が係合することで固定されていること
を特徴とする請求項１に記載の調整装置。
【請求項３】
前記溝は、前記シャフトの軸長方向に沿って設けられており、
前記凸条は、前記孔の軸長方向に沿って設けられており、
前記溝及び凸条が係合することで、前記シャフトの周方向への動きが制限されていること
を特徴とする請求項２に記載の調整装置。
【請求項４】
前記シャフトは、前記螺合部に連なる複数の溝を周面に並設してあり、
前記頭部は、
前記シャフトと同軸の柱状をなし、
側面に複数の溝を並設してあり、
先端面中央部に特定の工具が挿入可能な凹部を設けてあること
を特徴とする請求項１に記載の調整装置。
【請求項５】
前記シャフト及び頭部に設けられた溝は、該シャフト及び頭部の軸長方向に沿って設けられていること
を特徴とする請求項４に記載の調整装置。
【請求項６】
前記一端に設けられた前記調整体は、複数の凸条が周面に並設されている孔を有すること
を特徴とする請求項１に記載の調整装置。
【請求項７】
前記凸条は、前記孔の軸長方向に沿って設けられていること
を特徴とする請求項６に記載の調整装置。
【請求項８】
前記頭部に嵌合される前記調整体は、前記シャフトと同軸となり、複数の凸条が内周面に並設されている円環部を有すること
を特徴とする請求項１に記載の調整装置。
【請求項９】
前記凸条は、前記円環部の軸長方向に沿って設けられていること
を特徴とする請求項８に記載の調整装置。
【請求項１０】
ワッシャと、
該ワッシャを介して前記螺合部に螺合するナットと
を備えることを特徴とする請求項１に記載の調整装置。
【発明の詳細な説明】
【技術分野】
【０００１】
本発明は、自動二輪車におけるホイールの取り付け具合と、エンジン内にあるシャフト及び後輪の車軸間のトランスミッション素子に配されているチェーンの張りとの調整を行うための装置に関する。
【背景技術】
【０００２】
従来、自動二輪車のチェーンを調整する種々の調整装置が存在する(例えば特許文献１)。自動二輪車のチェーンは、偏心シャフトから支持板又は偏心ワッシャに亘って架けられている。
【０００３】
どのような調整装置が使用されていた場合であっても、自動二輪車のユーザ又は整備士は、後輪の取り付け具合及びチェーンの張りの程度を定期的に確認する。チェーンは、張力が加えられたことにより過度に引っ張られたとき、摩耗によりチェーンのピッチが増加し易くなる。当該ピッチが増加することによってスプロケット及びクラウンギアの歯は摩耗し易くなる。
【０００４】
ユーザ又は整備士は、チェーンの状態を確認したとき、固定数のリンク間の寸法を計測することができ、当該寸法が、製造元によって規定された寸法を超えているか否かを確認する。その後、ユーザ又は整備士は、調整装置の種類に応じた方法によって、チェーンの張りを調整する。
【０００５】
いわゆる偏心テンショナと称される調整装置が最も一般的に使用される。当該偏心テンショナという名称は、自動二輪車における後輪の車軸に配置された偏心素子によって、エンジン内にあるシャフト及び後輪の車軸間の距離が調整可能であることに由来する。
【０００６】
調整装置の起源は、フラットベルトを用いる設計のトランスミッションが、プーリのスリップが原因でエンジンの動力の適切な伝達を困難とすることを背景とする。このスリップを避けるために、リンク群から形成されるチェーンの駆動装置が導入された。
【０００７】
各リンクは、ローラ及びブシュ、並びに２つの側板に強固に接続されたピンの組によって形成される。
【０００８】
リンクは、側板と一体化して、ローラの中心軸周りに回転する。そのため、リンクは、ローラの中心軸方向の動きが制限されるが、当該ローラの中心軸に直交する方向には動作することができる。このように、リンク及び側板の組み合わせは、必要とされる長さのチェーンを形成することができる。また、最後のリンクを最初のリンクに接続することによって、環状に閉じたチェーンを形成してもよい。
【０００９】
自動二輪車を動かすために、当該自動二輪車の燃焼機関（エンジン）によって生成された動力の伝達及び上下運動から円運動への変換は、当該機関から後輪に向けて行われる。トランスミッションは、２本のシャフト、即ちエンジン内にあるシャフトと後輪の車軸との間で実行される。
【００１０】
通常、自動二輪車のチェーンは、有するリンクの全てがリベット止めされているが、取り外し可能なリンクを含んでいてもよい。この場合、一の側板は両端部がリベット止めされる代わりに、一端部のみがリベット止めされており、反対側の側板は、一端部が開いたサークリップで固定される。ピッチと呼ばれる特定の距離を保つために、２本のピンが用
いられる。当該ピン夫々は、ローラを挟持しているリンクの接続板を保持するために用いられ、異なるリンクのローラに挿通される。
【００１１】
市場には種々のタイプのチェーン及び種々の基準となるサイズがある。チェーンの寸法は、ピッチによって確立され、当該ピッチは、２つの連続するローラの中心間の距離である。ホイールとチェーン又はクラウンギアとが相互に動作する場合に当該チェーンが正しく動作するためには、スプロケットと呼ばれる歯付きの回転板が必要となる。全地形での使用のために設計された自動二輪車の場合、クラウンギアは、ジュラルミン等の軽合金製、又は泥を排出する溝を有する泥除けモデル等の特別な仕様となる。
【先行技術文献】
【特許文献】
【００１２】
【特許文献１】実開平３−３７０９７号公報
【発明の概要】
【発明が解決しようとする課題】
【００１３】
チェーンの問題点は、スプロケットに取り付けられたことに起因して、応力が非常に大きくなったとき、一般的に伸びてしまうことである。また、当該チェーンが適切に動作し、早まってスプロケットの歯に取り付けられないための前提としては、２つの歯が同一平面に位置しないことだけである。そうすることにより、チェーンは常に一直線になって動作することができる。エンジン内のシャフト及び後輪の車軸が平行でない、又は当該歯が正しく位置合わせされていないために、チェーンが適切に動作していない場合、当該チェーンは、適切な動作により生じる応力とは異なる他の応力が生じるため、より伸び易くなる。
【００１４】
本発明は斯かる事情に鑑みてなされたものであり、ホイール及びチェーンを素早く、かつ効率的に調整することを容易にし、一の端部に挿入された特定の工具を回転させるだけで調整することができる調整装置を提供することにある。
【課題を解決するための手段】
【００１５】
本発明における調整装置は、一端に螺合部が設けられ、他端に頭部を有する円筒体、つまりはシャフトを備える。
【００１６】
また、調整装置は、孔を有する２つの調整体を備える。２つの調整体は夫々、円筒体の各端部に外嵌する。このとき、各調整体は、円筒体の一端の周面に設けられた溝と、頭部の側部に設けられた同様の溝とを夫々用いて固定される。具体的には、各調整体の孔の内周面に設けられた凸条が、円筒体の一端及び頭部に各設けられた溝に嵌合することで固定される。
【００１７】
当該調整体の一方は、中心に溝を有する孔を設けてあり、外周が螺旋状の平板である。
【００１８】
他方の調整体は、一面側から突出する円環部を有する平板である。当該円環部には、内周面に凸条を有する。当該円環部は、頭部が摺動挿入可能なように設けられている。当該調整体は、当該円環部に頭部が摺動挿入されることによって、当該頭部に外嵌する。このとき、円環部及びシャフトは同軸となる。また、当該調整体には、頭部が抜け出さないように内向きに張り出したフランジが設けられている。
【００１９】
その他の詳細及び特徴は、添付図面に関連して以下に説明するが、本発明の範囲の限定を意図しない。
【発明の効果】
【００２０】
ホイール及びチェーンを素早く、かつ効率的に調整することを容易にし、一の端部に挿入された特定の工具を回転させるだけで調整することができる。
【図面の簡単な説明】
【００２１】
【図１】各端部に位置する調整体とナット及びワッシャとを有する調整装置の斜視図である。
【図２】調整装置の両端部を示す拡大図である。
【図３】一端部に位置する頭部と、他端部に位置する螺合部及びスロットとを有する円筒体の平面図である。
【図４】調整装置の分解斜視図である。
【発明を実施するための形態】
【００２２】
本発明の好適な実施形態では、図１、２、及び４に示されるように、調整装置は、円筒体（シャフト）１１を備える。円筒体１１の一端１２には、螺合部１３が設けられている。また、円筒体１１は、螺合部１３に連なるように、複数の溝１４が並設されている。このとき、複数の溝１４は、円筒体１１の軸長方向に沿って設けられている。更に、他端１５には、頭部１６（図３参照）が設けられている。頭部１６は、円筒状であることが好ましく、複数の溝１７が周面に設けられ、抜止部２８’が設けられている。
【００２３】
調整装置１０の円筒体１１は、２つの調整体１９及び２０を保持する。調整体１９及び２０には、円筒体１１に外嵌する孔２２及び２１が各設けられている。
【００２４】
調整体１９には、円筒体１１が嵌め入れられた後、頭部１６が嵌め入れられる。調整体１９は、一連の凸条２４及び溝２５が内周面に並設された円環部２３を、一面側に有する。当該凸条２４は、頭部１６の側面に設けられた溝１７に摺動可能なように、円環部２３の軸長方向に沿って設けられている。調整体１９には、孔２２の内周から内向きに張り出した抜止部２８が設けられている。抜止部２８は、頭部１６が調整体１９に嵌め入れられたときに抜止部２８’と共に、頭部１６の抜け出しを防止する。また、頭部１６の先端面中央部には、調整装置１０の操作を簡易にするために凹部１８が設けられている。凹部１８は、対応する工具が挿入可能であり、使用者又は整備士は、当該工具を用いて調整装置１０を回転させて、対応するホイール（図示せず）の取り付け具合及びチェーンの張り（図示せず）を調整する。
【００２５】
調整体２０は、内周面に凸条２９及び溝３０が形成されている孔２１によって円筒体１１に外嵌する。このとき、当該凸条２９は、円筒体１１の溝１４に嵌合するように、孔２１の軸長方向に沿って設けられている。また、ナット２７及びワッシャ２６が使用されることで、調整体２０が円筒体１１から抜け出すことを防止する。
【００２６】
図４に示す全部品が組み合わされた調整装置１０は、自動二輪車のスインギングアームに設けられたスロットに挿通保持され、車軸として機能し、かつホイールの取り付け具合の調整のために機能する。
【００２７】
整備士又は使用者は、チェーンの張りを調整するために、組み立てられた状態の調整装置１０の挿通保持された状態を解除する。具体的には、整備士又は使用者は、適切な工具を頭部１６の凹部１８に挿入した状態で、円筒体１１の螺合部１３に螺合されているナット２７を緩める。次いで、整備士又は使用者は、図２中の矢印Ａ又はＢの方向に必要に応じて調整体１９及び２０を、回転させてもよい。このとき、調整体１９は、凸条２４が頭部１６の溝１７に係合することによって、当該頭部１６に固定された状態で回転する。同様に、調整体２０は、孔２１に設けられた凸条２９が、円筒体１１の一端１２に設けられ
た溝１４と係合することによって、当該一端１２に固定された状態で回転する。このとき、抜止部２８及び２８’により、調整体１９が頭部１６から抜け出すことを防止することができる。
【００２８】
従って、整備士又は使用者は、凹部１８に対応する工具を用いて他端１５を作用させるだけで、調整装置１０を回転させることができ、図示しないホイールの取り付け具合の調整及び図示しないチェーンの張りの調整を容易にすることができる。
【００２９】
今回開示された実施の形態は全ての点で例示であって、制限的なものではないと考えられるべきである。本発明の範囲は、上記した意味ではなく、特許請求の範囲によって示され、特許請求の範囲と均等の意味及び範囲内での全ての変更が含まれることが意図される。
【符号の説明】
【００３０】
１０  調整装置
１１  円筒体（シャフト）
１２  一端
１３  螺合部
１４  溝
１５  他端
１６  頭部
１７  溝
１８  凹部
１９  調整体
２０  調整体
２１  孔
２２  孔
２３  円環部
２４  凸条
２５  溝
２６  ワッシャ
２７  ナット
２８  抜止部
２８’  抜止部
２９  凸条
３０  溝
【図１】
2014213852.tif 000003
【図２】
2014213852.tif 000004
【図３】
2014213852.tif 000005
【図４】
2014213852.tif 000006